(57)【要約】【課題】天井へ器具本体をバランスよく埋め込み設置する作業性を向上できる照明器具を提供する。【解決手段】天井裏の吊りボルトＣに固定される埋込み型の照明器具1であって器具本体2と、器具本体2の内側に取付けられる反射体21と、反射体21の内側に配置される蛍光ランプ（光源）33を具備する。器具本体2は枠状に組立てられた本体枠材3〜6を備える。本体枠材3〜6の下端に器具設置孔の縁に下側から引っ掛かる本体縁部3b〜6bを設け、本体枠材3〜6の上端に天板部3a〜6ａを設ける。天板部3a〜6ａに囲まれて設置作業者の手を天井裏に入れることを可能とする大きさの作業用開口Sを器具本体2に形成する。平行な天板部3a、5aの対向する位置に吊りボルトCの下端部が通されるボルト通し部8を一対設ける。ボルト通し部8の入口8aを作業用開口Sに開放させて、作業用開口S側からボルト通し部8に吊りボルトCを通すことができるようにしたことを特徴としている。【選択図】図３
2011054361.tif 000002
【特許請求の範囲】
【請求項１】
天井の器具設置孔に埋め込まれて天井裏の吊りボルトに固定される照明器具において、
枠状に組立てられた複数の本体枠材を備え、これら本体枠材が、下端に前記器具設置孔の縁に下側から引っ掛かる本体縁部を有するとともに、上端に天板部を有しており、この天板部に囲まれて設置作業者の手を天井裏に入れることが可能な大きさの作業用開口を形成し、かつ、前記吊りボルトの下端部が通されるボルト通し部が、このボルト通し部の入口を前記作業用開口に臨んだ前記天板部の天板側縁に開放させて前記天板部の対向する位置に一対設けられている器具本体と；
この器具本体の内面及び前記作業用開口を下側から覆って前記器具本体内に配置される反射体と；
この反射体の内側に配置される光源と；
を具備することを特徴とする照明器具。
【請求項２】
前記天板側縁が下方に折り曲げられた曲げ片からなることを特徴とする請求項１に記載の照明器具。
【請求項３】
前記光源が蛍光ランプであるとともに、この蛍光ランプを点灯させる放電灯安定器を備え、この放電灯安定器が、前記本体枠材の内面でかつ前記ボルト通し部が設けられた前記天板部と前記本体縁部との間に装着されていることを特徴とする請求項１又は２に記載の照明器具。
【発明の詳細な説明】
【技術分野】
【０００１】
本発明は、建物の天井に埋め込んで設置される照明器具に関する。
【背景技術】
【０００２】
照明器具本体と、反射器と、ルーバを備え、照明器具本体を建築物の天井裏の構築材に固定し、固定した照明器具本体に反射器を固定し、更に反射器内にルーバを固定することによって、照明器具本体及び反射器を天井に埋め込んで設置される照明器具が、従来技術として知られている。
【０００３】
この設置状態で反射器の光を照射する開口平面は建築物の天井面と略面一に配置されるようになっている。又、照明器具本体には、電源端子台、放電灯を保持するソケット、及び放電灯を点灯するための点灯回路等が取付けられている。照明器具本体は、反射器の平面視略正方形をなした底面板と略同形状で同じ大きさであり、かつ概略トレー状をなしていて、その底面板は照明器具本体の大部分の大きさを占めている。
【先行技術文献】
【特許文献】
【０００４】
【特許文献１】特開2001−110226号公報（段落0002-0007、図４）
【発明の概要】
【発明が解決しようとする課題】
【０００５】
天井埋め込み型照明器具の反射器は天井に形成された器具設置孔を天井の下側から覆う大きさであるので、既述のように反射器の大部分を占める大きさの底面板と略同じ大きさの照明器具本体の大きさは、器具設置孔と略同じ大きさである。又、天井埋め込み型照明器具の照明器具本体が固定される天井裏の構築物としては、天井裏に配設された吊りボルトが一般的である。このボルトを用いての照明器具本体の固定は、吊りボルトの下端部を照明器具本体のボルト通孔に通した後に、吊りボルトの下端部に照明器具本体の下側からナットを螺合して、このナットを上向きに移動するように締め上げることで行われている。
【０００６】
こうした埋め込み設置作業において、従来技術のように照明器具本体の大きさが天井の器具設置孔と略同じ大きさである構成では、天井裏に作業者が手を差し入れることはできない。しかも、天井裏の吊りボルトの下端部の位置精度はばらつきが大きいことが知られている。更に、照明器具本体が邪魔になって天井裏の吊りボルトの下端部の位置を視認することもできない。そのため、天井裏の吊りボルトの下端部を照明器具本体のボルト通孔に位置合わせして通す作業は、かなりの手間が掛かる。したがって、従来技術では照明器具本体を天井に埋め込み設置する作業性が良くない。
【０００７】
以上のように特許文献１に記載の従来技術は、照明器具本体を天井に埋め込み設置する際の作業性が良くない、という課題がある。
【課題を解決するための手段】
【０００８】
前記課題を解決するために、請求項１の発明は、天井の器具設置孔に埋め込まれて天井裏の吊りボルトに固定される照明器具において、枠状に組立てられた複数の本体枠材を備え、これら本体枠材が、下端に前記器具設置孔の縁に下側から引っ掛かる本体縁部を有するとともに、上端に天板部を有しており、この天板部に囲まれて設置作業者の手を天井裏に入れることが可能な大きさの作業用開口を形成し、かつ、前記吊りボルトの下端部が通されるボルト通し部が、このボルト通し部の入口を前記作業用開口に臨んだ前記天板部の天板側縁に開放させて前記天板部の対向する位置に一対設けられている器具本体と；この器具本体の内面及び前記作業用開口を下側から覆って前記器具本体内に配置される反射体と；この反射体の内側に配置される光源と；を具備することを特徴としている。
【０００９】
この発明で、複数の本体枠材により形成される枠状とは、三角形以上の多角形の枠形状を指しており、同様に作業用開口も三角形以上の形状を指している。四角い枠状である場合、平面視において略ロの字形の枠状を指しており、正方形又は長方形の枠状が含まれ、同様に作業用開口が四角形である場合、正方形の作業用開口又は長方形の作業用開口が含まれている。この発明で、器具本体が三角形の枠状である場合、全ての本体枠材の天板部にボルト通し部を設けるとよく、器具本体が正多角形又は長方形の枠状である場合、周方向に一個置きに配設された本体枠材の天板部にボルト通し部を設けるとよい。
【００１０】
この発明で、ボルト通し部の入口が天板側縁に開放するとは、入口が天板側縁を完全に横切っている態様の他、天板側縁が下方に折れ曲がっている場合、この天板側縁を横切らないように天板側縁の幅の範囲内に設けられる態様を含んでいる。この発明で、作業用開口は、そこに作業者の手を通した上で、天井裏で吊りボルトの下端部を掴んでボルト通し部に対する横方向からの位置合わせとその後の挿入操作を可能にできる大きさであればよい。
【００１１】
又、この発明で、光源には、両口金型の蛍光ランプ又は片口金型の蛍光ランプを使用できる他、ＬＥＤ等の半導体発光素子を複数備えて形成される光源を用いることも可能である。
【００１２】
請求項１の発明の照明器具を天井に埋め込み設置する場合、まず、器具設置孔に挿入された器具本体の作業用開口を通して、設置作業者の手を天井裏に差し込んで天井裏の吊りボルトの下端部を掴み、この吊りボルトの下端部を、作業用開口内に移動させるとともに、この作業用開口に臨んで天板部の対向する位置に一対設けられたボルト通し部の入口を視認しつつこの入口に位置合わせして、吊りボルトの下端部を横方向に移動させることでボルト通し部に通し、その上で、吊りボルトにその下側から螺合されたナットを締め上げて、吊りボルトに器具本体を固定する。次に、器具本体の内側に電源線を引込んで端子台等に接続した後、反射体を器具設置孔に上向きに挿入して器具本体にねじ等を用いて固定する。最後に、光源を反射体の内側に配設して、作業を完了する。
【００１３】
請求項２の発明は、請求項１の発明において、前記天板側縁が下方に折り曲げられた曲げ片からなることを特徴としている。
【００１４】
この発明では、曲げ片からなる天板側縁の切断面が作業用開口に向くことがないので、作業用開口に通された設置作業者の手が前記切断面に当たって怪我をすることを抑制できる。更に、ナットの締め付けが完了した状態で、吊りボルトがボルト通し部から抜け出ようとした場合、ナットが曲げ片からなる天板側縁に横方向から当たるので、この天板側縁をストッパとして前記抜け出しを防止できる。
【００１５】
請求項３の発明は、請求項１又は２に記載の発明において、前記光源が蛍光ランプであるとともに、この蛍光ランプを点灯させる放電灯安定器を備え、この放電灯安定器が、前記本体枠材の内面でかつ前記ボルト通し部が設けられた前記天板部と前記本体縁部との間に装着されていることを特徴としている。
【００１６】
ナットを締め上げて吊りボルトに器具本体を固定するに伴って器具本体の天板部が上向きに変形しようとする際、その変形を助長するように本体枠材が器具本体の内側に向けて変形しようとすることがある。しかし、この発明では、本体枠材の内面でかつ本体縁部とボルト通し部が設けられた天板部との間に放電灯安定器を装着したので、この安定器の補強作用によって、器具本体の内側に向けての本体枠材の変形がし難くなる。そのため、器具本体の天板部が上向きに変形されることがあってもその変形を最小限に抑制できる。
【発明の効果】
【００１７】
請求項１の発明によれば、天井裏に手を差し込むことが可能であって、かつ、ボルト通し部の入口と吊りボルトの下端部を視認しつつ、この吊りボルトの下端部を、ボルト通し部に対して位置合わせして作業用開口から横方向から動かしてボルト通し部に通すことができるので、器具本体を天井に埋め込み設置する際の作業性を向上できる。更に、ボルト通し部が対向する位置に一対設けられているため、バランスよく器具本体を吊りボルトに取付けて天井に設置できる、という効果がある。
【００１８】
請求項２の発明によれば、曲げ部からなる天板側縁により、器具本体を天井に埋め込み設置する作業の安全性を確保できるとともに、ボルト通し部に通された吊りボルトがボルト通し部から外れることも防止できるという効果がある。
【００１９】
請求項３の発明によれば、放電灯安定器により、器具本体の固定に伴う器具本体の天板部の変形を抑制できる、という効果がある。
【図面の簡単な説明】
【００２０】
【図１】本発明の一実施の形態に係る照明器具を下側から見て示す斜視図である。
【図２】吊りボルトの一部とともに図１の照明器具を上側から見て示す斜視図である。
【図３】図１の照明器具を分解して示す斜視図である。
【図４】図２中Ｆ４−Ｆ４線に沿う断面図である。
【図５】図１の照明器具が備える器具本体をこれに装着された部品及び吊りボルトの一部とともに下側から見て示す斜視図である。
【図６】図１の照明器具が備える器具本体のボルト通し部周りを拡大して示す斜視図である。
【図７】本発明の他の実施の形態に係る照明器具が備える器具本体のボルト通し部周りを拡大して示す斜視図である。
【発明を実施するための形態】
【００２１】
以下、図１〜図６を参照して本発明の一実施の形態について、詳細に説明する。なお、図４については、それらの図に含まれる断面部分の厚みが極めて薄いので、図の理解を容易にする都合上断面を表すハッチングを省略して描いてある。
【００２２】
図中符号１は照明器具を示している。この照明器具１は、埋め込み型であって、図４に示すように建物の天井Ａに開口された器具設置孔Ｂに埋め込まれて、天井裏に配設された吊りボルトＣとこれに螺合されたナットＤの締め付けにより、天井Ａに埋め込み設置される。器具設置孔Ｂは四角い孔である。なお、図２〜図５中符号Ｅは吊りボルトＣの下端部に取付けられたワッシャを示しているが、このワッシャＥは省略可能である。
【００２３】
図３等に示すように照明器具１は、器具本体２と、端子台１０と、複数例えば二個の放電灯安定器１１，１２と、複数例えば３個のランプソケット１４と、反射体２１と、光源例えば片口金型の複数の蛍光ランプ３３とを具備している。
【００２４】
器具本体２は、板金製で、例えば部品点数を削減するために第１の本体枠２ａと第２の本体枠２ｂを連結してなり、多角形の枠状、例えば四角形の枠状に形成されている。これら第１の本体枠２ａと第２の本体枠２ｂは、器具本体２の中心を対称点とする点対称の形状に作られている。
【００２５】
つまり、一体品からなる第１の本体枠２ａは、直角に折れ曲がった部材であり、その直角を挟む一方が第１の本体枠材３を担っており、前記直角を挟む他方が第２の本体枠材４を担っている。同様に、一体品からなる第２の本体枠２ｂも、直角に折れ曲がった部材であり、その直角を挟む一方が第３の本体枠材５を担っており、前記直角を挟む他方が第４の本体枠材６を担っている。したがって、器具本体２は複数の本体枠材、具体的には第１の本体枠材３〜第４の本体枠材６で組立てられている。
【００２６】
第１の本体枠２ａと第２の本体枠２ｂとは、直接連結される他、コーナー金具（図３及び図４に代表して一個のみ示す。）１６を用いて連結されている。直接連結は、例えば、第１の本体枠材３の長手方向先端に折り曲げられた図示しない曲げ縁を、第４の本体枠材６の長手方向先端部内面に重ねてねじ止めするとともに、第３の本体枠材５の長手方向先端に折り曲げられた図示しない曲げ縁を、第２の本体枠材４の長手方向先端部内面に重ねてねじ止めして行われている。コーナー金具１６は、例えば第３の本体枠材５と第２の本体枠材４を連結している。同様に、コーナー金具を用いて第１の本体枠材３と第４の本体枠材６を連結して器具本体２の枠組強度を高めてもよい。
【００２７】
図２及び図３に示すように第１の本体枠材３〜第４の本体枠材６の夫々は、それらの上端に器具本体２の内側に直角に突出して折り曲げられた第１の天板部３ａ〜第４の天板部６ａを有しているとともに、下端に器具本体２の外側に突出して折り曲げられた第１の本体縁部３ｂ〜第４の本体縁部６ｂを有している。第１の本体枠材３〜第４の本体枠材６の主部、つまり、第１の天板部３ａと第１の本体縁部３ｂとの間の部位、第２の天板部４ａと第２の本体縁部４ｂとの間の部位、第３の天板部５ａと第３の本体縁部５ｂとの間の部位、第４の天板部６ａと第４の本体縁部６ｂとの間の部位は、夫々垂直である。第１の本体縁部３ｂ〜第４の本体縁部６ｂを除いた器具本体２の大きさは、器具設置孔Ｂよりやや小さく、第１の本体縁部３ｂ〜第４の本体縁部６ｂを含めた器具本体２の大きさは、器具設置孔Ｂよりやや大きい。
【００２８】
第１の本体縁部３ｂ〜第４の本体縁部６ｂの夫々は、図４で代表して示すように水平に張り出した上で上向きに折り曲げられて上方に開放する溝を形成している。第１の本体縁部３ｂ〜第４の本体縁部６ｂは、それらの長手方向の端を連続して四角い下端開口（図３及び図５参照）を形成している。これら第１の本体縁部３ｂ〜第４の本体縁部６ｂは器具設置孔Ｂの縁を下方から覆うようになっている。
【００２９】
図２等に示すように第１の天板部３ａ〜第４の天板部６ａの長手方向両端部は夫々４５°に形成されている。第１の天板部３ａ〜第４の天板部６ａは、それらの長手方向の端部同士を突合わせて器具本体２の周方向に連続されていて、器具本体２の上面に作業用開口Ｓ（図３〜図５参照）を形成している。第１の天板部３ａ〜第４の天板部６ａで囲まれた作業用開口Ｓは、器具本体２の枠形状と相似形をなす多角形、具体的には四角形である。この作業用開口Ｓを有することで、器具本体２は平面視ロの字形をなしている。作業用開口Ｓは器具本体２の下端開口より小さい。更に、作業用開口Ｓの大きさは設置作業者の手を天井裏に入れることが可能な大きさである。
【００３０】
第１の天板部３ａ〜第４の天板部６ａの夫々は、それらの突出方向先端縁をなす天板側縁７を有している。これらの天板側縁７は下方に折り曲げられた曲げ片からなる。これとともに、図４及び図６に示すように天板側縁７の先端は、第１の天板部３ａ〜第４の天板部６ａの裏面に向かい合うように斜め上向きに曲げられている。それにより、本実施形態の場合、天板側縁７の長手方向に直交する方向の断面は略Ｌ形である。
【００３１】
一個置きに配置されていて互いに平行な天板部、具体的には第１の天板部３ａと第３の天板部５ａの対向する位置、好ましくは第１の天板部３ａと第３の天板部５ａの長手方向中央位置にボルト通し部８が設けられている。これら一対のボルト通し部８は、例えばスリット状の溝からなる。この溝の幅は、吊りボルトＣの直径より大きくナットＤの直径より小さい。ボルト通し部８の入口８ａ（図６参照）は、作業用開口Ｓに臨んで形成されていて、この作業用開口Ｓに連通されている。本実施形態では、第１の天板部３ａの天板側縁７を入口８ａが上下方向に横切っているとともに、第３の天板部５ａの天板側縁７を入口８ａが上下方向に横切っている。なお、蛍光ランプ３３の使用数が多く、器具本体２が更に多くの吊りボルトＣに固定される場合には、それに応じてボルト通し部８の数を増やせばよい。
【００３２】
ボルト通し部８が設けられた第１の本体枠材３と第３の本体枠材５の夫々に放電灯安定器１１又は１２が固定されている。放電灯安定器１１，１２は、アルミニウム製の安定器ケース内にインバータ回路等を形成する回路部品等の各種の電気部品が搭載された回路基板を組み込んでなる電子安定器である。これら放電灯安定器１１，１２は、細長く形成されていて、前記回路基板に搭載された入出力用の端子台（図示しない）は安定器ケースの長手方向両端部に配設されてこのケースの外部に露出されている。
【００３３】
更に、第１の天板部３ａと第３の天板部５ａには、ボルト通し部８を間において一対の通孔が設けられており、これら合計４個の通孔の内の一つが電源線通孔９（図２及び図５参照）として用いられている。電源線通孔９にはゴム製の電源ブッシュが嵌められている。
【００３４】
この電源線通孔９の近くの位置において器具本体２の天板部裏面(下面)に端子台１０が固定されている（図２及び図５参照）。端子台１０には、電源線通孔９を通って器具本体２内に引き込まれた電源線（図示しない）が接続されるとともに、図示しない器具内配線が接続される。
【００３５】
第１の本体枠材３の第１の天板部３ａと第１の本体縁部３ｂとの間、つまり、第１の本体枠材３の垂直な主部の内面に、この主部の長手方向に沿って放電灯安定器１１が略水平に取付けられている。同様に、第３の本体枠材５の第３の天板部５ａと第３の本体縁部５ｂとの間、つまり、第３の本体枠材５の垂直な主部の内面に、この主部の長手方向に沿って放電灯安定器１２が略水平に取付けられている。放電灯安定器１１，１２の長さはそれらが固定される前記主部の長手方向の長さよりやや短い。なお、放電灯安定器は、蛍光ランプの使用本数が２本以下の場合は、１本のみ使用されて、ボルト通し部８を有した本体枠材の内面に固定される。
【００３６】
器具本体２の内面には複数例えば３個のランプソケット１４が固定されている。これらランプソケット１４は、ボルト通し部８を有していないとともに放電灯安定器１１，１２が固定されていない本体枠材、例えば第２の本体枠材４の垂直な主部に、この主部の長手方向に並べて固定されている。図示のランプソケット１４は片口金型の蛍光ランプ３３を支持するのに適したソケットである。なお、光源に両口金型蛍光ランプを用いる場合、それを支持するのに適したランプソケットを、第２の本体枠材４及び第４の本体枠材６の垂直な主部に夫々固定すればよい。
【００３７】
反射体２１は、金属製であり、作業用開口Ｓと同形の四角い反射天板部２２と、第１の反射側板部２３〜第４の反射側板部２６を備えており、第１の反射側板部２３〜第４の反射側板部２６はその下端に第１のカバー縁部２３ａ〜第４のカバー縁部２６ａを有している。第１のカバー縁部２３ａ〜第４のカバー縁部２６ａを除いた反射体２１の大きさは、器具本体２よりやや小さく、第１のカバー縁部２３ａ〜第４のカバー縁部２６ａを含めた反射体２１の大きさは、器具設置孔Ｂよりやや大きい。反射体２１の高さ(深さ)は器具本体２の高さ(深さ)より小さい。
【００３８】
第１の反射側板部２３〜第４の反射側板部２６は、反射天板部２２の周部から下方に連続して設けられている。第１の反射側板部２３と第３の反射側板部２５は、反射天板部２２の互いに平行な二辺から一体に斜め折り曲げられている。第２の反射側板部２４と第４の反射側板部２６は、反射天板部２２とは別体に形成されていて、反射天板部２２の互いに平行な他の二辺に反射天板部２２に対して垂直となるように固定されている。各ランプソケット１４の夫々に対応してソケット通孔２８(図３参照)が、反射天板部２２と第２の反射側板部２４とにわたって開口されている。
【００３９】
第１のカバー縁部２３ａ〜第４のカバー縁部２６ａは、図４で代表して示すように第１の反射側板部２３〜第４の反射側板部２６の下端から水平に張り出した上で上向きに折り曲げられて、上方に開放する溝を形成しているとともに、この溝の内側に向けて先端が更に折り返されている。これら第１のカバー縁部２３ａ〜第４のカバー縁部２６ａは反射体２１の周方向に互いに連続して四角枠状に組立てられている。更に、第１のカバー縁部２３ａ〜第４のカバー縁部２６ａで囲まれた四角い反射体開口（図１及び図３参照）は、照明器具１の光出射用の下端開口をなしている。この開口の真上に反射天板部２２が対向している。
【００４０】
第１のカバー縁部２３ａ〜第４のカバー縁部２６ａを除いた反射体２１の主要部は、器具本体２内にその下側から収められている。反射体２１は、例えば一対の化粧ねじ３０及びこれらに対応して配置されたねじ受部材３１により器具本体２に固定されている。この場合、化粧ねじ３０は、反射天板部２２及びこれに上側から被さった第２の天板部４ａ及び第４の天板部６ａを上向きに挿通して、これら天板部に保持されたねじ受部材３１にねじ込まれて、反射体２１を器具本体２に固定している。これら化粧ねじ３０の締め付けにより、第２の天板部４ａ及び第４の天板部６ａが有した天板側縁７の下端が、反射天板部２２の上面に当接されるようになっている。
【００４１】
なお、化粧ねじ３０の締め付けに拘らず、第１の天板部３ａ及び第３の天板部５ａが有した天板側縁７の下端と、第１の本体枠材３の内面に対向した第１の反射側板部２３、及び第３の本体枠材５の内面に対向した第２の反射側板部２４の根元との間の夫々には、放電灯安定器１１，１２から放出される熱を器具本体２外に排出するための隙間ｇ（片方の隙間ｇのみを図２に示す。）が形成されている。
【００４２】
こうした反射体２１の固定状態で、第１のカバー縁部２３ａ〜第４のカバー縁部２６ａは、器具設置孔Ｂの縁を下側から覆っているとともに、これら第１のカバー縁部２３ａ〜第４のカバー縁部２６ａが、第１の本体縁部３ｂ〜第４の本体縁部６ｂを覆っている。更に、前記固定状態で各ランプソケット１４は夫々に対応したソケット通孔２８に通されて反射体２１の内側に配設されている。
【００４３】
蛍光ランプ３３は反射体２１の内側で夫々のランプソケット１４に取外し可能に支持されている。なお、図中３５は反射体２１に設けられた制光体支持部を示しており、これら制光体支持部３５に必要に応じてバッフル（図示しない）等の制光体を、この制光体を蛍光ランプ３３の下方に配設できる。
【００４４】
次に、照明器具１を建物の天井Ａに埋め込み設置する手順を説明する。
【００４５】
まず、天井Ａに器具本体２を埋め込み設置する。この設置は、器具設置孔Ｂに器具本体２を挿入し、この器具本体２のボルト通し部８に作業用開口Ｓを利用して天井裏の吊りボルトＣを通した後、吊りボルトＣの下端部に螺合されているナットＤを締め上げることにより実施する。なお、吊りボルトＣの下端部にワッシャＥを必要に応じて嵌合することが好ましい。
【００４６】
器具本体２の設置について詳しく説明する。まず、設置作業者は、天井Ａの器具設置孔Ｂに上側から対向している吊りボルトＣの下端部に、ワッシャＥを通すとともに、このワッシャＥの下側に配置されるナットＤを螺合する。
【００４７】
次に、設置作業者は、ねじ受部材３１が固定された器具本体２を、その作業用開口Ｓを上側にして器具設置孔Ｂに上向きに挿入する。この挿入が完了した状態で、器具本体２が器具設置開口Ｂを塞ぐことはなく、器具本体２の作業用開口Ｓを通して天井裏と天井Ａより下側空間とが連通されている。
【００４８】
この状態を保持しつつ設置作業者は、その手を作業用開口Ｓに通して天井裏の吊りボルトＣの下端部を掴み、この下端部を作業用開口Ｓに移動させる。そして、この状態で、吊りボルトＣの下端部を動かして第１の天板部３ａのボルト通し部８及び第３の天板部５のボルト通し部８に位置合わせした上で、既述のようにワッシャＥ及びナットＤが取付けられた吊りボルトＣの下端部をボルト通し部８に通す。この場合、ワッシャＥ及びナットＤは、天板側縁７の下側を通り、これらワッシャＥ及びナットＤの真上のボルト部位がボルト通し部８に通される。
【００４９】
こうした作業においては、既述のように作業用開口Ｓから天井裏に手を差し入れて吊りボルトＣを扱うことができる。更に、器具設置孔Ｃに挿入された器具本体２の作業用開口Ｓは作業者の頭上近くにあり、作業者は、作業用開口Ｓに開放しかつ連通しているボルト通し部８の入口８ａを視認できるので、この入口８ａに対して吊りボルトＣの下端部を容易に位置合わせすることができる。その上、この位置合わせ状態を視認しつつ、作業用開口Ｓ側から吊りボルトＣの下端部を横方向に動かして、この下端部をボルト通し部８の入口８ａに導入させることができる。したがって、器具本体２の天板部の上方からボルト通し部８に吊りボルトＣの下端部を通す場合に比較して、吊りボルトＣの下端部をボルト通し部８に通す作業を容易に実施できる。
【００５０】
こうした作業により、第１の天板部３ａと第３の天板部５ａが吊りボルトＣの下端部に螺合されているナットＤ上に載置されて、器具本体２が落下しないように仮に支持される。次に、この状態で、ナットＤを上方向に移動するように回転操作して締め上げる。それにより、吊りボルトＣに吊持された器具本体２の第１の本体縁部３ｂ〜第４の本体縁部６ｂが、器具設置孔Ｂの縁に夫々下方から引っ掛かった状態となり、器具本体２が器具設置孔Ｂに埋め込み設置される。
【００５１】
これとともに、ナットＤが第１の天板部３ａ又は第３の天板部５ａの裏面との間にワッシャＥを挟んで配置されるので、折れ曲がっている天板側縁７に対してナットＤ及びワッシャＥの側面が近接しかつ対向される（図４参照）。したがって、天井Ａに設置後の照明器具１に振動が作用しても、天板側縁７がストッパとなって吊りボルトＣから器具本体２が外れることを防止できる。
【００５２】
更に、ボルト通し部８が互いに平行な第１の天板部３と第３の天板部５の対向する位置に一対設けられているので、器具本体２がバランスよく吊りボルトＣに取付けられて、この器具本体２を天井Ａに埋め込み設置することができる。
【００５３】
以上のような器具本体２の設置作業において、設置作業者の手が第１の天板部３ａが有した本体側縁７の下端及び第３の天板部５ａが有した本体側縁７の下端に触れることがある。しかし、本体側縁７の下端部先端は、第１の天板部３ａの裏面又は第３の天板部５ａの裏面に指向して前記下端から折れ曲がっていて、作業用開口Ｓに露出していないため、金属板の切断端面からなる本体側縁７の下端部先端によって、設置作業者が怪我を負うことがなく、安全に作業できる。
【００５４】
又、既述のナットＤの締め上げ操作に伴って第１の天板部３ａと第３の天板部５ａには上向きの力が作用するが、それに伴って第１の天板部３ａと第３の天板部５ａが上向きに過度に変形することを、放電灯安定器１１，１２によって抑制できる。つまり、第１の天板部３ａで代表して説明すれば、第１の天板部３ａが上向きに折れ曲がろうとする場合、それに引きずられるようにして第１の天板部３ａに一体に連続している第１の本体枠材３の主部が、四角い枠状の器具本体２の内側に向けて変形しようとする。しかし、この主部の内面に放電灯安定器１１が固定されているので、この放電灯安定器１１の補強作用で前記主部の変形を抑制できる。それにより、ナットＤの過度な締め上げ操作に伴って第１の天板部３ａが上向きに過度に折れ曲がることが抑制される。
【００５５】
次に、以上のように器具本体２を器具設置孔Ｂに埋め込み設置した後、設置作業者は、天井裏の電源線（図示しない）を器具本体２の内側に引き込む。この引込みは、作業用開口Ｓを通して天井裏に差し込んだ手で、天井裏の電源線の先端部を掴んで、器具本体２の電源線通孔９に上方から差し込むことにより実施できるので、容易に作業ができる。しかも、電源線通孔９は作業用開口Ｓの近くに設けられているため、より容易に電源線を電源線通孔９に通して器具本体２内に引き込むことができる。そして、引込まれた電源線は器具本体２内の端子台１０に差込み接続される。こうした電源線の引き込み作業においても、設置作業者の手が天板側縁７の先端で傷付けられることを防止できる。
【００５６】
次に、反射体２１を器具設置孔Ｂに埋め込み設置する。つまり、反射体２１を、その反射天板部２２を上側にして器具設置孔Ｂに挿入して、この反射体２１の第１のカバー縁部２３ａ〜第４のカバー縁部２６ａを器具設置孔Ｂの周縁に被せる。これにより、器具本体２の第１の本体縁部３ｂ〜第４の本体縁部６ｂが、第１のカバー縁部２３ａ〜第４のカバー縁部２６ａで覆われる。これとともに、器具本体２の内側面に取付けられている各ランプソケット１４が、これらに対応する反射体２１のソケット通孔２８を通って反射体２１の内部に配設される。この状態で、器具本体２の内面及び作業用開口Ｓは下側から反射体２１で覆われる。
【００５７】
この後、設置作業者は、二本の化粧ねじ３０を反射天板部２２の下側から上向きに挿通させて、器具本体２の第２の天板部４ａ及び第４の天板部６ａの上面に既に固定されているねじ受部材３１にねじ込む。それにより、反射体２１が、器具本体２に固定されて器具設置孔Ｂに埋め込み設置される。
【００５８】
最後に、各蛍光ランプ３３を対応するランプソケット１４に夫々支持させるとともに、反射天板部２２の下面に固定された図示しないランプホルダに支持させることにより、これら蛍光ランプ３３を反射体２１の内側に配設する。なお、バッフル付きの照明器具とする場合には、以上の手順の後に制光体支持部３５にバッフルを支持させる。以上により、建物の天井Ａに対する照明器具１の埋め込み設置作業が完了する。
【００５９】
図７を参照して本発明の他の実施形態を説明する。他の実施形態は、以下説明する事項以外は前記一実施形態と同じであるので、一実施形態と同じ構成については同一符号を付してその説明を省略するとともに、必要に応じて図３等も参照する。
【００６０】
図７に示した実施形態では、曲げ片からなる天板側縁７が、ボルト通し部８の入口８ｂを下側から仕切って設けられた連続部位７ａを有している。それにより、入口８ｂが、第１の天板部３ａ（又は第３の天板部５ａ）の下方に折れ曲がった天板側縁７を上下方向に横切ることなく設けられている。これとともに、入口８ｂはそれ以外のボルト通し部８の部位より大きく形成されている。具体的には、図３等に示された吊りボルトＣの下端部に嵌合されたワッシャＥ及び同下端部に螺合されたナットＤが、作業用開口Ｓから第１の天板部３ａ(又は第３の天板部５ａ)の裏側に向けて通過できる程度の大きさ・形状に入口８ｂが形成されている。
【００６１】
以上のようにボルト通し部８を形成したことにより、曲げ片からなる天板側縁７がその長手方向の途中で途切れていないので、この天板側縁７で第１の天板部３ａを補強できる。このため、器具本体２を器具設置孔に埋め込み設置する際、ボルト通し部８に通された吊りボルトＣに螺合されたナットＤを締め上げることに伴う天板部の上向きの変形を、天板側縁７の補強作用により抑制できる。なお、図７に示した実施形態は、以上説明した事項以外は、図７に示されない構成を含めて一実施形態と同じであり、したがって、既に説明した理由で図７に示した実施形態でも本発明の課題を達成できる。
【符号の説明】
【００６２】
１…照明器具、２…器具本体、３〜６…第１〜第４の本体枠材、３ａ〜６ａ…第１〜第４の天板部、３ｂ〜６ｂ…第１〜第４の本体縁部、７…天板側縁、８…ボルト通し部、１８ａ，８ｂ…ボルト通し部の入口、１１，１２…放電灯安定器、２１…反射体、３３…蛍光ランプ(光源)、Ａ…天井、Ｂ…器具設置孔、Ｃ…吊りボルト、Ｄ…ナット、Ｓ…作業用開口
【図１】
2011054361.tif 000003
【図２】
2011054361.tif 000004
【図３】
2011054361.tif 000005
【図４】
2011054361.tif 000006
【図５】
2011054361.tif 000007
【図６】
2011054361.tif 000008
【図７】
2011054361.tif 000009